(57)【要約】【課題】ヘッドブロックが意図せずに回転して安全スイッチが壊れるという問題を解消することができるばかりか、ヘッドブロックの連結強度が強くなって、ヘッドブロックの連結部分の折損をなくす。【解決手段】ヘッドブロック４はスイッチ取付部５と操作キー動作受動部６とで構成してあり、スイッチ取付部５のヘッドケース取付面５ａに、操作キー動作受動部６の外殻を構成するヘッドケース６Ａを固着して、スイッチ取付部５と操作キー動作受動部６とを一体にして、スイッチ取付部５を取付用ねじ部材４０で固定枠に固定することで、操作キー動作受動部６の意図しない回転を防ぐようにした。【選択図】図２
2008218162.tif 000002
【特許請求の範囲】
【請求項１】
電源回路のオン・オフを司るスイッチング手段を有する本体ブロックと、操作キーの挿抜により前記スイッチング手段の接点切換動作を行なわせる操作キー動作受動手段を有する操作キー動作受動部を備えた安全スイッチであって、
前記操作キー動作受動部にスイッチ取付部を設けてヘッドブロックを構成し、このヘッドブロックが前記本体ブロックに回転可能に取付けられていて、前記ヘッドブロックが、前記操作キー動作受動手段の動作で作動して前記スイッチング手段を作動させるヘッドプランジャを中心に回転することを特徴とする安全スイッチ。
【請求項２】
前記スイッチ取付部と前記操作キー動作受動部とはそれぞれに別体であって、前記スイッチ取付部が前記操作キー動作受動部に固着されていることを特徴とする請求項１に記載の安全スイッチ。
【請求項３】
前記スイッチ取付部と前記操作キー動作受動部とは一体であることを特徴とする請求項１に記載の安全スイッチ。
【請求項４】
前記スイッチ取付部は、その回転中心部に前記ヘッドプランジャを貫通させており、当該ヘッドプランジャを挟んだ対向位置に、取付用ねじ部材が挿通するねじ挿通孔を有することを特徴とする請求項１乃至請求項３の何れかのうちの一に記載の安全スイッチ。
【請求項５】
前記本体ブロックに対して前記ヘッドブロックの回転位置を決める回転位置決め手段を備えたことを特徴とする請求項１乃至請求項４の何れかのうちの一に記載の安全スイッチ。
【請求項６】
前記回転位置決め手段は、前記本体ブロックに対して前記ヘッドブロックを任意の角度に回転させた位置に当該ヘッドブロックを位置決めすることを特徴とする請求項５に記載の安全スイッチ。
【請求項７】
前記本体ブロックは、前記スイッチング手段を収容する本体ケースを有しており、前記回転位置決め手段は、前記本体ケースに弾性変形可能な薄肉部を形成して、この薄肉部の外面に固定側係合部を設け、前記スイッチ取付部に前記固定側係合部が係脱可能に係合する可動側係合部を設けて構成してあることを特徴とする請求項６に記載の安全スイッチ。
【請求項８】
前記本体ブロックは、前記スイッチング手段を収容する本体ケースを有しており、前記回転位置決め手段は、別部材としての回転ストッパと、この回転ストッパが係脱可能に係合する可動側係合部を備えており、前記回転ストッパは、前記本体ケース、または、前記スイッチ取付部の一方側に取付けてあり、前記可動側係合部は、他方側に設けてあることを特徴とする請求項６に記載の安全スイッチ。
【請求項９】
前記回転ストッパは、前記本体ケースに取付けられるベース部の一端部にばね片部を突設して、このばね片部の先部に、前記可動側係合部に係脱可能に係合するストッパ側係合部を設けて構成してあることを特徴とする請求項８に記載の安全スイッチ。
【請求項１０】
前記本体ブロックは、前記スイッチング手段を収容する本体ケースを有しており、前記回転位置決め手段は、操作部の側端部にストッパ側係合部を連設した回転ストッパと、前記スイッチ取付部に設けられて前記回転ストッパが係脱可能に係合する可動側係合部を備えており、前記回転ストッパは前記本体ケースに移動可能に設けてあって、前記回転ストッパはばね部材により前記スイッチ取付部側に付勢されていて、前記ストッパ側係合部が前記可動側係合部に係脱可能に係合させてあることを特徴とする請求項６に記載の安全スイッチ。
【請求項１１】
前記本体ブロックは、前記スイッチング手段を収容する本体ケースを有しており、前記回転位置決め手段は、ばね性を有する線材を屈曲して形成してあって、操作部の両端部に引っ掛け部を形成し、これらの引っ掛け部に連なるアーム部の端部を屈曲形成してストッパ側係合部を形成した回転ストッパと、前記スイッチ取付部に設けられて前記ストッパ側係合部が係脱可能に係合する可動側係合部を備えており、前記本体ケースにストッパ収容凹部と引っ掛け用突起部を設け、前記ストッパ収容凹部に前記回転ストッパを収容して、前記引っ掛け部を前記引っ掛け用突起部に引っ掛けることで前記ストッパ側係合部を前記可動側係合部に係脱可能に係合させてあることを特徴とする請求項６に記載の安全スイッチ。
【請求項１２】
前記本体ブロックは、前記スイッチング手段を収容する本体ケースに着脱可能に固着された蓋体を有しており、前記回転位置決め手段は、前記蓋体に係合突起部を形成し、前記スイッチ取付部に、前記蓋体が前記本体ケースに固着された場合に、前記係合突起部が係脱可能に係合する可動側係合部を設けて構成してあることを特徴とする請求項６に記載の安全スイッチ。
【発明の詳細な説明】
【技術分野】
【０００１】
本発明は、ドアスイッチ等に使用される安全スイッチに関する。
【背景技術】
【０００２】
安全スイッチであるドアスイッチは、一般に、自動化された工作機械を設置した作業エリアの出入り口に設けた扉の開閉を検知して、工作機械の電源を入り切りするものであり、扉を閉めると扉側に備えた操作キーが出入り口側に備えたスイッチ本体の挿入キー挿入口に挿入され、挿入された操作キーによって内装カムが回転操作されて、スイッチ本体に内蔵したスイッチング機構がスイッチオン状態に切り換えられて電源回路などが接続されると共に、扉を開けると操作キーが抜出されることによって内装カムが逆転操作されて、スイッチング機構がスイッチオフ状態に切り換えられて電源回路等が断たれるように構成されている（特許文献１参照）。
【０００３】
このドアスイッチは、図１５に示すように、出入り口の固定枠（図示せず）に取付けられるスイッチ本体７０と、開閉される扉（図示せず）に取付けられる操作キー７１とからなる。そして、スイッチ本体７０は、本体ブロック７２と、この本体ブロック７２に固着されたヘッドブロックである操作キー動作受動部７３を備えており、本体ブロック７２の外殻である本体ケース７４と、操作キー動作受動部７３の外殻であるヘッドケース７５がねじ連結してあり、本体ケース７４にはドアスイッチを固定枠に取付けるためのスイッチ取付部７６が設けてある。このスイッチ取付部７６は、本体ケース７４の正面部から背面部に抜ける一対のねじ挿通孔７７で構成してある。また、本体ケース７４には蓋体７８がねじ止めしてある。また、ヘッドケース７５には、その正面部にキー挿入口７５Ａが、頂部にキー挿入口７５Ｂがそれぞれ設けてある。
【０００４】
そして、本体ケース７４の背面部を固定枠に当接させて、スイッチ取付部７６のねじ挿通孔７７に取付用ねじ部材（図示せず）を挿入して、これらの取付用ねじ部材を固定枠のねじ孔部（いずれも図示せず）に螺合し、取付用ねじ部材を締付けることにより、ドアスイッチを固定枠に取付けるようにしてある。
【０００５】
上記した従来のドアスイッチ（安全スイッチ）にあっては、例えば、蓋体７８を外してスイッチング機構への配線や、故障等の修理を行うのであるが、この蓋体７８が外しやすい方向に向くようにスイッチ本体７４を取付けると、キー挿入口７５Ａと操作キー７１が対向するようにキー挿入口７５Ａの方向を変更しなければならない場合がある。このとき、キー挿入口７５Ａを有するヘッドブロック（操作キー動作受動部７３）を一旦、ねじを外して本体ブロック７２と分離し、方向変更後、再度ねじを用いて取付ける必要があった。
【０００６】
また、従来の安全スイッチとして図１６に示すものがある。この安全スイッチは、スイッチ取付部８２を有する本体ケース８０に対してヘッドブロック８１が回転可能に取付けられていて、このヘッドブロック８１を、当該ヘッドブロック８１内の内装カムの回転でスイッチング機構を作動させるプランジャ（図示せず）を中心に回転可能にしたものがあり、この安全スイッチは、スイッチ取付部８２のねじ挿通孔８３に取付用ねじ部材（図示せず）を挿入して、これらの取付用ねじ部材を固定枠のねじ孔部（いずれも図示せず）に螺合し、取付用ねじ部材を締付けることにより、安全スイッチを固定枠に取付けるようにしてある。なお、図１６において、８４は蓋体、８５はキー挿入口、８６は操作キーである。
【特許文献１】特開２００４−７９２０４号公報
【発明の開示】
【発明が解決しようとする課題】
【０００７】
上記した前者の従来のドアスイッチにあっては、キー挿入口７５Ａと操作キー７１が対向するようにキー挿入口７５Ａの方向を変更する場合、ヘッドブロック（操作キー動作受動部７３）を一旦、ねじを外して本体ブロック７２と分離し、方向変更後、再度ねじを用いて取付けるように、ねじを外すなどの作業が必要で手間がかかるという問題があった。
【０００８】
また、後者の従来の安全スイッチにあっては、当該安全スイッチを固定枠に取付けた状態で、ヘッドブロック８１が意図せずに回転してしまい、その結果、安全スイッチが壊れるという問題があったし、また、ヘッドブロック８１がスイッチ取付部８２に対して相対回転するので、ヘッドブロック８１の連結強度が弱くなり、例えば、操作キー８６がキー挿入口８５に挿入され、更に、扉が行き過ぎてしまうようなことがあり、その結果、ヘッドブロック８１の連結部分が折損するという問題があった。また、ヘッドブロック８１が意図せずに回転するのを防ぐために、回転防止の構造が必要であり、且つ、該構造を有効にするための作業（例えば、ねじ止め）が必要になるという問題があった。
【０００９】
本発明は上記の問題点を解決するものであり、その目的とするところは、ヘッドブロック（操作キー動作受動部）を本体ブロックに取付けるねじを外すなどの作業が不要になるし、また、ヘッドブロックが意図せずに回転して安全スイッチが壊れる、ヘッドブロックの連結部分が折損するという問題を解消することができるばかりか、ヘッドブロックの回転防止の構造を有効にするための作業（例えば、ねじ止め）が不要になる安全スイッチを提供することである。
【課題を解決するための手段】
【００１０】
上記の目的を達成するために、本発明に係る安全スイッチは、電源回路のオン・オフを司るスイッチング手段を有すると、操作キーの挿抜によりスイッチング手段の接点切換動作を行なわせる操作キー動作受動手段を有する操作キー動作受動部を備えた安全スイッチであって、操作キー動作受動部にスイッチ取付部を設けてヘッドブロックを構成し、このヘッドブロックが本体ブロックに回転可能に取付けられていて、ヘッドブロックが、操作キー動作受動手段の動作で作動してスイッチング手段を作動させるヘッドプランジャを中心に回転することを特徴とする。
【００１１】
かかる構成により、ヘッドブロック（操作キー動作受動部）を本体ブロックに取付けるねじを外すなどの作業が不要になる。また、スイッチ取付部を設備の固定枠に取付けた場合、ヘッドブロックの操作キー動作受動部は設備の固定枠に固定されることになり、操作キー動作受動部の意図しない回転が防止される。すなわち、スイッチ使用中に操作キー動作受動部が動かないように固定される。このために、ヘッドブロックが意図せずに回転して安全スイッチが壊れるという問題を解消することができるばかりか、ヘッドブロックの連結強度が強くなり、例えば、操作キーがキー挿入口に挿入され、更に、扉が行き過ぎてしまうようなことがあっても、ヘッドブロックの連結部分が折損することがなくなる。さらに、ヘッドブロックの回転防止の構造を有効にするための作業（例えば、ねじ止め）が不要になる。
【００１２】
また、本発明に係る安全スイッチは、上記した本発明に係る安全スイッチにおいて、スイッチ取付部と操作キー動作受動部とはそれぞれに別体であって、スイッチ取付部が操作キー動作受動部に固着されていることを特徴とする。
【００１３】
かかる構成により、ヘッドブロック（操作キー動作受動部）を本体ブロックに取付けるねじを外すなどの作業が不要になる。また、スイッチ取付部を設備の固定枠に取付けた場合、ヘッドブロックの操作キー動作受動部は設備の固定枠に固定されることになり、操作キー動作受動部の意図しない回転が防止される。すなわち、スイッチ使用中に操作キー動作受動部が動かないように固定される。このために、ヘッドブロックが意図せずに回転して安全スイッチが壊れるという問題を解消することができるばかりか、ヘッドブロックの連結強度が強くなり、例えば、操作キーがキー挿入口に挿入され、更に、扉が行き過ぎてしまうようなことがあっても、ヘッドブロックの連結部分が折損することがなくなる。さらに、ヘッドブロックの回転防止の構造を有効にするための作業（例えば、ねじ止め）が不要になる。
【００１４】
また、本発明に係る安全スイッチは、上記した本発明に係る安全スイッチにおいて、スイッチ取付部と操作キー動作受動部とは一体であることを特徴とする。
【００１５】
かかる構成により、ヘッドブロック（操作キー動作受動部）を本体ブロックに取付けるねじを外すなどの作業が不要になる。また、スイッチ取付部を設備の固定枠に取付けた場合、ヘッドブロックの操作キー動作受動部は設備の固定枠に固定されることになり、操作キー動作受動部の意図しない回転が防止される。すなわち、スイッチ使用中に操作キー動作受動部が動かないように固定される。このために、ヘッドブロックが意図せずに回転して安全スイッチが壊れるという問題を解消することができるばかりか、ヘッドブロックの連結強度が強くなり、例えば、操作キーがキー挿入口に挿入され、更に、扉が行き過ぎてしまうようなことがあっても、ヘッドブロックの連結部分が折損することがなくなる。さらに、ヘッドブロックの回転防止の構造を有効にするための作業（例えば、ねじ止め）が不要になる。
【００１６】
また、本発明に係る安全スイッチは、上記した本発明に係る安全スイッチにおいて、スイッチ取付部は、その回転中心部にヘッドプランジャを貫通させており、当該ヘッドプランジャを挟んだ対向位置に、取付用ねじ部材が挿通するねじ挿通孔を有することを特徴とする。
【００１７】
かかる構成により、スイッチ取付部のねじ挿通孔に取付用ねじ部材を挿入して、これらの取付用ねじ部材を固定枠のねじ孔部に螺合し、取付用ねじ部材を締付けることにより、安全スイッチを固定枠に取付ける。この場合、ヘッドブロックの操作キー動作受動部は設備の固定枠に固定されることになり、操作キー動作受動部の意図しない回転が防止される。すなわち、スイッチ使用中に操作キー動作受動部が動かないように固定される。このために、ヘッドブロックが意図せずに回転して安全スイッチが壊れるという問題を解消することができるばかりか、ヘッドブロックの連結強度が強くなり、例えば、操作キーがキー挿入口に挿入され、更に、扉が行き過ぎてしまうようなことがあっても、ヘッドブロックの連結部分が折損することがなくなる。また、ヘッドブロック（操作キー動作受動部）を本体ブロックに取付けるねじを外すなどの作業が不要になる。また、ヘッドブロックの回転防止の構造を有効にするための作業（例えば、ねじ止め）が不要になる。
【００１８】
また、本発明に係る安全スイッチは、上記した本発明に係る安全スイッチにおいて、本体ブロックに対してヘッドブロックの回転位置を決める回転位置決め手段を備えたことを特徴とする。
【００１９】
かかる構成により、安全スイッチを固定枠に取付する場合には、基準位置にあるヘッドブロックを回転させて、回転位置決め手段によりヘッドブロックを基準位置より所定角度回転した取付位置に位置決めする。すなわち、スイッチ設置時に行うヘッドブロックの方向変更時に、ヘッドブロックが所定の位置に来るように位置決めすることができる。
【００２０】
また、本発明に係る安全スイッチは、上記した本発明に係る安全スイッチにおいて、回転位置決め手段は、本体ブロックに対してヘッドブロックを任意の角度に回転させた位置に当該ヘッドブロックを位置決めすることを特徴とする。
【００２１】
かかる構成により、安全スイッチを固定枠に背面取付する場合には、基準位置にあるヘッドブロックを任意の角度に回転させて回転位置決め手段により、ヘッドブロックを基準位置より任意の角度に回転した背面取付位置に位置決めする。すなわち、スイッチ設置時に行うヘッドブロックの方向変更時に、ヘッドブロックが所定の位置に来るように位置決めすることができる。ここで、任意の角度とは、例えば、９０°毎、１８０°が該当する。
【００２２】
また、本発明に係る安全スイッチは、上記した本発明に係る安全スイッチにおいて、本体ブロックは、スイッチング手段を収容する本体ケースを有しており、回転位置決め手段は、本体ケースに弾性変形可能な薄肉部を形成して、この薄肉部の外面に固定側係合部を設け、スイッチ取付部に固定側係合部が係脱可能に係合する可動側係合部を設けて構成してあることを特徴とする。
【００２３】
かかる構成により、基準位置にあるヘッドブロックを回転させることで固定側係合部を薄肉部のばね力に抗して可動側係合部より外し、さらにヘッドブロックを回転させ、ヘッドブロックが次の所定の位置に来たときに、薄肉部のばね力で固定側係合部を可動側係合部に係合することで、ヘッドブロックを基準位置より任意の角度に回転した取付位置に位置決めすることができる。すなわち、スイッチ設置時に行うヘッドブロックの方向変更時に、ヘッドブロックが所定の位置に来るように位置決めすることができる。ここで、固定側係合部とは、例えば、係合突起部が該当し、可動側係合部とは、例えば、係合凹部が該当する。
【００２４】
また、本発明に係る安全スイッチは、上記した本発明に係る安全スイッチにおいて、本体ブロックは、スイッチング手段を収容する本体ケースを有しており、回転位置決め手段は、別部材としての回転ストッパと、この回転ストッパが係脱可能に係合する可動側係合部を備えており、回転ストッパは、本体ケース、または、スイッチ取付部の一方側に取付けてあり、可動側係合部は他方側に設けてあることを特徴とする。
【００２５】
かかる構成により、基準位置にあるヘッドブロックを回転させることで回転ストッパを可動側係合部より外し、さらにヘッドブロックを回転させ、ヘッドブロックが次の所定の位置に来たときに、回転ストッパを可動側係合部に係合することで、ヘッドブロックを基準位置より任意の角度回転した取付位置に位置決めすることができる。すなわち、スイッチ設置時に行うヘッドブロックの方向変更時に、ヘッドブロックが所定の位置に来るように位置決めすることができる。ここで、可動側係合部とは、例えば、係合凹部である。
【００２６】
また、本発明に係る安全スイッチは、上記した本発明に係る安全スイッチにおいて、回転ストッパは、本体ケースに取付けられるベース部の一端部にばね片部を突設して、このばね片部の先部に、可動側係合部に係脱可能に係合するストッパ側係合部を設けて構成してあることを特徴とする。
【００２７】
かかる構成により、基準位置にあるヘッドブロックを回転させることでストッパ側係合部をばね片部のばね力に抗して可動側係合部より外し、さらにヘッドブロックを回転させ、ヘッドブロックが次の所定の位置に来たときに、ばね片部のばね力でストッパ側係合部を可動側係合部に係合することで、ヘッドブロックを基準位置より任意の角度回転した取付位置に位置決めすることができる。すなわち、スイッチ設置時に行うヘッドブロックの方向変更時に、ヘッドブロックが所定の位置に来るように位置決めすることができる。ここで、ストッパ側係合部とは、例えば、係合突起部である。
【００２８】
また、本発明に係る安全スイッチは、上記した本発明に係る安全スイッチにおいて、本体ブロックは、スイッチング手段を収容する本体ケースを有しており、回転位置決め手段は、操作部の側端部にストッパ側係合部を連設した回転ストッパと、スイッチ取付部に設けられて回転ストッパが係脱可能に係合する可動側係合部を備えており、回転ストッパは本体ケースに移動可能に設けてあって、回転ストッパは、ばね部材によりスイッチ取付部側に付勢されていて、ストッパ側係合部が可動側係合部に係脱可能に係合させてあることを特徴とする。
【００２９】
かかる構成により、指で操作部を押して、回転ストッパをばね部材の付勢力に抗して押し下げ、ストッパ側係合部を可動側係合部から外し、基準位置にあるヘッドブロックを回転させる途中で操作部から指を外し、回転させた時点でばね部材の付勢力で回転ストッパを押し上げてストッパ側係合部を可動側係合部に係合することで、ヘッドブロックを基準位置より任意の角度回転した取付位置に位置決めすることができる。すなわち、スイッチ設置時に行うヘッドブロックの方向変更時に、ヘッドブロックが所定の位置に来るように位置決めすることができる。ここで、ストッパ側係合部とは、例えば係合突起部であり、可動側係合部とは、例えば係合凹部である。
【００３０】
また、本発明に係る安全スイッチは、上記した本発明に係る安全スイッチにおいて、本体ブロックは、スイッチング手段を収容する本体ケースを有しており、回転位置決め手段は、ばね性を有する線材を屈曲して形成してあって、操作部の両端部に引っ掛け部を形成し、これらの引っ掛け部に連なるアーム部の端部を屈曲形成してストッパ側係合部を形成した回転ストッパと、スイッチ取付部に設けられてストッパ側係合部が係脱可能に係合する可動側係合部を備えており、本体ケースにストッパ収容凹部と引っ掛け用突起部を設け、ストッパ収容凹部に回転ストッパを収容して、引っ掛け部を引っ掛け用突起部に引っ掛けることでストッパ側係合部を可動側係合部に係脱可能に係合させてあることを特徴とする。
【００３１】
かかる構成により、指で操作部を押して回転ストッパを押し下げると、ストッパ側係合部が撓んで引っ込むようになって、ストッパ側係合部が可動側係合部から外れる。そして、基準位置にあるヘッドブロックを回転させる途中で操作部から指を外し、任意の角度回転させた時点で、ばね付勢力で回転ストッパを押し上げてストッパ側係合部を可動側係合部に係合することで、ヘッドブロックを基準位置より任意の角度回転した取付位置に位置決めすることができる。すなわち、スイッチ設置時に行うヘッドブロックの方向変更時に、ヘッドブロックが所定の位置に来るように位置決めすることができる。ここで、ストッパ側係合部とは、例えば係合突起部であり、可動側係合部とは、例えば係合凹部である。
【００３２】
また、本発明に係る安全スイッチは、上記した本発明に係る安全スイッチにおいて、本体ブロックは、スイッチング手段を収容する本体ケースに着脱可能に固着された蓋体を有しており、回転位置決め手段は、蓋体に係合突起部を形成し、スイッチ取付部に、蓋体が本体ケースに固着された場合に、係合突起部が係脱可能に係合する可動側係合部を設けて構成してあることを特徴とする。
【００３３】
かかる構成により、本体ケースから蓋体を外して、係合突起部を可動側係合部から外し、基準位置にあるヘッドブロックを回転させ、蓋体を本体ケース７に固定することで係合突起部を可動側係合部に係合し、ヘッドブロックを基準位置より任意の角度回転した取付位置に位置決めすることができる。すなわち、スイッチ設置時に行うヘッドブロックの方向変更時に、ヘッドブロックが所定の位置に来るように位置決めすることができる。ここで、可動側係合部とは、例えば、係合孔もしくは係合凹部が該当する。
【発明の効果】
【００３４】
本発明に係る安全スイッチによれば、ヘッドブロック（操作キー動作受動部）を本体ブロックに取付けるねじを外すなどの作業が不要になるし、また、ヘッドブロックの回転防止の構造を有効にするための作業（例えば、ねじ止め）が不要になる。また、スイッチ取付部を設備の固定枠に取付けた場合、ヘッドブロックの操作キー動作受動部は設備の固定枠に固定されることになり、操作キー動作受動部の意図しない回転が防止される。すなわち、スイッチ使用中に操作キー動作受動部が動かないように固定される。このために、操作キー受動部であるヘッドブロックが意図せずに回転して安全スイッチが壊れるという問題を解消することができるばかりか、ヘッドブロックの連結強度が強くなり、例えば、操作キーをキー挿入口に挿入させて、更に、扉が行き過ぎてしまうことがあっても、ヘッドブロックの連結部分が折損することがなくなる。
【００３５】
また、本発明に係る安全スイッチによれば、安全スイッチを固定枠に取付ける場合には、基準位置にあるヘッドブロックを回転させて回転位置決め手段により、ヘッドブロックを基準位置より任意の角度回転した取付位置に位置決めする。すなわち、スイッチ設置時に行うヘッドブロックの方向変更時に、ヘッドブロックが所定の位置に来るように位置決めすることができる。
【発明を実施するための最良の形態】
【００３６】
以下、本発明に係る安全スイッチの実施形態を、図面を参照しながら説明する。
【００３７】
図１は本発明に係る安全スイッチの斜視図、図２は同安全スイッチの断面図、図３は同安全スイッチのスイッチング機構の構成説明図である。
【００３８】
図１に示すように、安全スイッチＡは、設備、例えば、工作機械が設置された自動工作エリアの出入り口（いずれも図示せず）等に取付けられて利用されるものであって、出入り口の固定枠（図示せず）に取付けられるスイッチ本体１と、開閉される扉（図示せず）に取付けられる操作キー２とからなる。
【００３９】
スイッチ本体１は本体ブロック３とヘッドブロック４とを備えおり、ヘッドブロック４は、スイッチ取付部５と、このスイッチ取付部５に固着された操作キー動作受動部６で構成してある。本体ブロック３は本体ケース７を有しており、この本体ケース７には蓋体８が蓋体取付ねじ８ａにより固着してある。そして、ヘッドブロック４は、そのスイッチ取付部５を本体ブロック３に回転連結手段で連結されていて、この回転連結手段によりヘッドブロック４は本体ブロック３に対して回転が可能であり、また、スイッチ取付部５の抜け出し防止が図られている。
【００４０】
図２及び図４に示すように、回転連結手段は、本体ケース７の端壁部７ａの中央部に突設された中空円筒状のプランジャガイドとしての回転支軸９を備えており、この回転支軸９の基部の外周には環状の凹部９ａが形成してあり、この凹部９ａの図２において上部は平坦面９ｂになされている。また、回転支軸９の先端部にはシール嵌合凹部９ｃが形成してある。
【００４１】
また、スイッチ取付部５は四角柱形状の取付本体５Ａを有しており、この取付本体５Ａの一方の端面部はヘッドケース取付面５ａであり、他方の端面部は本体ケース７の対向面５ｂであって、ヘッドケース取付面５ａの中央部にはガイド挿入孔１０が設けてある。また、取付本体５Ａの正面部には、その左右に位置させてピン孔１１と、ねじ挿通孔１２が設けてある。
【００４２】
そして、図２に示すように、スイッチ取付部５のガイド挿入孔１０には回転支軸９が回転可能に挿入してあり、ピン孔１１にはピン部材１３が圧入してあって、図５に示すように、これらのピン部材１３は凹部９ａに挿入してあり、ピン部材１３が凹部９ａの平坦面９ｂに摺接していて、スイッチ取付部５の抜け出し防止を図っている。
【００４３】
そして、スイッチ取付部５のヘッドケース取付面５ａ側には、操作キー動作受動部６の外殻を構成するヘッドケース６Ａが固着してあり、図６に示すように、この固着は、ピン結合とスナップフィットとで行われている。すなわち、スイッチ取付部５に設けたベース５Ｂにはピン孔５ｃと係止爪部５ｄが設けてあり、ヘッドケース６Ａにはピン孔６ｃと係止孔部６ｄが設けあり、ベース５Ｂにヘッドケース６Ａを被せることで、係止爪部５ｄを係止孔部６ｄに係止し、ピン孔５ｃ，６ｃにピン部材１４を圧入することで、スイッチ取付部５にヘッドケース６Ａが固着してある。したがって、スイッチ取付部５と操作キー動作受動部６とで構成してあるヘッドブロック４は本体ブロック３に対して回転支軸９を中心に３６０°回転が可能になっている。
【００４４】
そして、図２に示すように、本体ケース７にはスイッチング手段であるスイッチング機構１５が組み込んであり、また、ヘッドケース６Ａにはスイッチング機構１５を操作する操作キー動作受動手段である接点切換手段としての回転カム１６と、この回転カム１６を支持するベース（図示せず）とが組込まれると共に、その頂壁及び側面部にキー挿入口１７，１８が形成してある。回転カム１６の外形はキー挿入口１７，１８への操作キー２の挿入・抜出しに伴って正逆に回転操作される形状に形成してある。
【００４５】
スイッチング機構１５は、図３に示すように、一対の固定端子２１と、上下動可能な可動部材２２に支持された一対の可動端子２３を有する単接点スイッチ２１を三個並設して構成してあり、可動部材２３は復帰ばね（図示せず）によって、図３において上方付勢されている。
【００４６】
図３は、可動部材２２が復帰ばねに抗して下方移動しているスイッチオフ状態を示し、この時、各可動端子２３が固定端子２１から離反して、１組の固定端子２１に配線接続された電源回路が断たれるようになっている。また、可動部材２２が復帰ばねによって上方に付勢移動することで、各可動端子２３が固定端子２１に接触導通してスイッチオン状態がもたらされ、電源回路が入れられるようになっている。また、可動部材２２の上端はプレート部材２２Ａに当接し、プレート部材２２Ａはヘッドプランジャ２５に当接しており、このヘッドプランジャ２５が回転支軸９を貫通してヘッドケース６Ａ内に突入して回転力ム１６の外周カム面に当接している。
【００４７】
そして、安全スイッチＡには、本体ブロック３に対してヘッドブロック４の回転位置を決める回転位置決め手段としての回転位置決め機構３０が設けてある。この回転位置決め機構３０は、図７に示すように、本体ケース７の背面部７ｃの隅角部に四角形状の凹部３１を設けることで、本体ケース７に弾性変形が可能な薄肉部３２を形成して、この薄肉部３２の外面に、固定側係合部である係合突起部３３を形成し、スイッチ取付部５の本体ケース対向面５ｂに係合突起部３３が係脱可能に係合する可動側係合部である正面取付位置決め用及び背面取付位置決め用の係合凹部３４Ａ，３４Ｂを設けて構成してある。この場合、正面取付位置決め用の係合凹部３４Ａと背面取付位置決め用の係合凹部３４Ｂは、図８に示すように、本体ケース対向面５ｂにおいて、ヘッドプランジャ２５の中心を通る面を挟んだ対向位置に設けてある。
【００４８】
次に、上記のように構成された安全スイッチＡを自動工作エリアの出入り口の固定枠に正面取付する場合を説明する。
【００４９】
上記したように、ヘッドブロック４は本体ブロック３に対して回転支軸９（ヘッドプランジャ２５）を中心に３６０°回転が可能になっているために、ヘッドブロック４を回転させて係合突起部３３を正面取付位置決め用の係合凹部３４Ａに係合することで、ヘッドブロック４を基準位置である正面取付位置に位置決めする。この場合、本体ケース７の背面と、ヘッドブロック４の背面、すなわち、スイッチ取付部５の背面とヘッドケース６Ａの背面とは同位置平面内に位置することになり、本体ケース７に設けた蓋体８が正面に位置する。
【００５０】
次に、本体ブロック３の本体ケース７の背面及びヘッドブロック４の背面を固定枠に当て、スイッチ取付部５のねじ挿通孔２４に取付用ねじ部材４０（図１参照）を挿入して、これらの取付用ねじ部材４０を固定枠のねじ孔部に螺合し、取付用ねじ部材４０を締付けることにより、安全スイッチＡを固定枠に取付ける。
【００５１】
この場合、ヘッドブロック４はスイッチ取付部５と操作キー動作受動部６とで構成してあり、スイッチ取付部５のヘッドケース取付面５ａに、操作キー動作受動部６の外殻を構成するヘッドケース６Ａが固着してあるために、スイッチ取付部５と操作キー動作受動部６とは一体であり、上記したようにスイッチ取付部５を取付用ねじ部材４０で固定枠に固定することで、操作キー動作受動部６の意図しない回転が防がれている。すなわち、スイッチ使用中に操作キー動作受動部６が動かないように固定される。
【００５２】
また、安全スイッチＡを固定枠に背面取付する場合には、図９−１に示す基準位置にあるヘッドブロック４を、図９−２に示すように１８０°回転させ、係合突起部３３を背面取付位置決め用の係合凹部３４Ｂに係合することで、図９−３に示すように、ヘッドブロック４を基準位置より１８０°回転した背面取付位置に位置決めする。この場合、本体ブロック３の本体ケース７の背面と、ヘッドブロック４の正面とは同一平面内に位置することになり、本体ケース７にねじ止めされた蓋体８は正面に位置する。
【００５３】
次に、本体ブロック３の本体ケース７の背面及びスイッチ取付部５の正面とヘッドケース６Ａの正面を固定枠に当て、スイッチ取付部５のねじ挿通孔２４に取付用ねじ部材４０を挿入して、これらの取付用ねじ部材４０を固定枠のねじ孔部に螺合し、取付用ねじ部材４０を締付けることにより、安全スイッチＡを固定枠に取付ける。
【００５４】
この場合、ヘッドブロック４はスイッチ取付部５と操作キー動作受動部６とで構成してあり、スイッチ取付部５のヘッドケース取付面５ａに、操作キー動作受動部６の外殻を構成するヘッドケース６Ａが固着してあるために、スイッチ取付部５と操作キー動作受動部６とは一体であり、上記したようにスイッチ取付部５を取付用ねじ部材４０で固定枠に固定することで、操作キー動作受動部６の意図しない回転が防がれている。すなわち、スイッチ使用中に操作キー動作受動部６が動かないように固定される。
【００５５】
上記した回転位置決め機構３０は部品一体方式の例であるが、回転位置決め機構３０としては、図１０及び図１１に示す別部材方式のものがある。この回転位置決め機構３０は別部材としての回転ストッパ４１と、可動側係合部である正面取付位置決め用及び背面取付位置決め用の係合凹部４７Ａ，４７Ｂを備えている。そして、この回転ストッパ４１は、ベース部４２の一端部にばね片部４３を突設して、このばね片部４３の先部のドーム形状の固定側係合部である係合突起部４４を設けて構成してある。
【００５６】
そして、可動側係合部である正面取付位置決め用及び背面取付位置決め用の係合凹部４７Ａ，４７Ｂは、スイッチ取付部５の本体ケース対向面５ｂに設けてあり、係合突起部４４が係脱可能に係合するものである。図８に示すように、正面取付位置決め用の係合凹部４７Ａと背面取付位置決め用の係合凹部４７Ｂは、本体ケース対向面５ｂにおいて、ヘッドプランジャ２５の中心を通る面を挟んだ対向位置に設けてある。そして、本体ケース７の端壁部７ａにはストッパ嵌合凹部４５と係合突起収容凹部４６とが連続して形成してあり、ストッパ嵌合凹部４５には回転ストッパ４１のベース部４２が嵌合してあって、係合突起収容凹部４６には係合突起部４４が収容してある。
【００５７】
したがって、ヘッドブロック４を回転させて係合突起部４４を正面取付位置決め用の係合凹部４７Ａに係合することで、ヘッドブロック４を基準位置である正面取付位置に位置決し、また、基準位置にあるヘッドブロック４を１８０°回転させて係合突起部４４を背面取付位置決め用の係合凹部４７Ｂに係合することで、ヘッドブロック４を基準位置より１８０°回転した背面取付位置に位置決めすることができる。
【００５８】
なお、上記した回転位置決め機構３０の実施例では、別部材としての回転ストッパ４１を本体ケース７側に設け、可動側係合部である正面取付位置決め用及び背面取付位置決め用の係合凹部４７Ａ，４７Ｂをスイッチ取付部５側に設けたが、回転ストッパ４１をスイッチ取付部５側に設け、正面取付位置決め用及び背面取付位置決め用の係合凹部４７Ａ，４７Ｂを本体ケース７側に設けてもよい。
【００５９】
また、回転位置決め機構３０の他の実施例を図１２に示す。この回転位置決め機構３０は別部材としての回転ストッパ４８と、一対の可動側係合部である係合凹部５４を備えている。回転ストッパ４８は、ガイド部４９ａを有する操作部４９の両端部にアーム部５０を形成して、これらのアーム部５０を略直角に屈曲し、アーム部５０の屈曲端部にストッパ側係合部である係合突起部５１を設けて構成してある。また、係合凹部５４はスイッチ取付部５の本体ケース対向面５ｂに形成してある。
【００６０】
そして、本体ケース７の端壁部７ａにはストッパ収容凹部５２が形成してあり、このストッパ嵌合凹部５２は回転ストッパ４８の平面形状に倣う略コ字形状である。そして、ストッパ収容凹部５２に回転ストッパ４８が収容してある。そして、回転ストッパ４８は、コイルばねのようなばね部材５５によりスイッチ取付部５側に付勢されていて、係合突起部５１が係合凹部５４に係脱可能に係合した状態で、ヘッドブロック４が基準位置である正面取付位置に位置決される。
【００６１】
したがって、指で操作部４９を押して、回転ストッパ４８をばね部材５５の付勢力に抗して押し下げ、係合突起部５１を係合凹部５４から外して、基準位置にあるヘッドブロック４を１８０°回転させる途中で操作部４９から指を外し、ヘッドブロック４を１８０°回転した時点で、ばね部材５５の付勢力で回転ストッパ４８を押し上げて係合突起部５１を係合凹部５４に係合することで、ヘッドブロック４を基準位置より１８０°回転した背面取付位置に位置決めすることができる。
【００６２】
また、回転位置決め機構３０の他の実施例を図１３に示す。この回転位置決め機構３０は別部材としての回転ストッパ５８と、一対の可動側係合部である係合凹部６５を備えている。回転ストッパ５８はばね性を有する線材を屈曲して形成してあり、操作部５９と、この操作部５９の両端部に形成された引っ掛け部６０と、これらの引っ掛け部６０に連なるアーム部６１と、これらのアーム部６１を略直角に屈曲したストッパ側係合部である係合突起部６２とで構成してある。そして、係合凹部６５はスイッチ取付部５の本体ケース対向面５ｂに形成してある。
【００６３】
本体ケース７の端壁部７ａにはストッパ収容凹部６３が形成してあり、このストッパ収容凹部６３は、回転ストッパ５８の平面形状に倣う略コ字形状であり、ストッパ収容凹部６３には一対の引っ掛け用突起部６４が形成してある。
【００６４】
そして、ストッパ収容凹部６３に回転ストッパ５８が収容してあって、図１３に示すように、回転ストッパ５８の操作部５９が圧縮された状態で引っ掛け用突起部６４間に挿入してあって、線材のばね性により操作部５９の縦部位５９ａが引っ掛け用突起部６４の内側部６４ａに摩擦係止している。そして、引っ掛け部６０が引っ掛け用突起部６４に引っ掛けてある。したがって、回転ストッパ５８は、係合突起部６２が係合凹部６５に係脱可能に係合した状態では、ヘッドブロック４が基準位置である正面取付位置に位置決される。
【００６５】
したがって、指で操作部５９を押すと、操作部５９の縦部位５９ａが引っ掛け用突起部６４の内側部６４ａに摺接して回転ストッパ５８が押し下げられて係合突起部６２が係合凹部６５から外れる。そして、基準位置にあるヘッドブロック４を１８０°回転させる途中で操作部５９から指を外し、１８０°回転させた時点で、ばね付勢力で回転ストッパ５８を押し上げて係合突起部６２を係合凹部６５に係合することで、ヘッドブロック４を基準位置より１８０°回転した背面取付位置に位置決めすることができる。
【００６６】
また、回転位置決め機構３０の他の実施例を図１４に示す。この回転位置決め機構３０は、本体ケース７にねじ止めされた蓋体８の端部に一対の係合突起部６７を形成し、スイッチ取付部５の本体ケース対向面５ｂに一対の可動側係合部である係合凹部６８を形成して、係合突起部６７を係合凹部６８にそれぞれ係脱可能に係合することで構成してある。そして、係合突起部６７を係合凹部６８にそれぞれ係脱可能に係合した状態では、ヘッドブロック４が基準位置である正面取付位置に位置決される。
【００６７】
したがって、蓋体取付ねじ６９を外すことで本体ケース７から蓋体８を外して、係合突起部６７を係合凹部６８から外して、基準位置にあるヘッドブロック４を１８０°回転させ、係合突起部６７を係合凹部６８に係合し、再び蓋体８を本体ケース７にねじ止めすることで、ヘッドブロック４を基準位置より１８０°回転した背面取付位置に位置決めすることができる。
【００６８】
上記した本発明の安全スイッチの実施例にあっては、ヘッドブロック４はスイッチ取付部５と操作キー動作受動部６とで構成してあり、スイッチ取付部５のヘッドケース取付面５ａに、操作キー動作受動部６の外殻を構成するヘッドケース６Ａが固着してあるために、スイッチ取付部５と操作キー動作受動部６とは一体であり、上記したようにスイッチ取付部５を取付用ねじ部材４０で固定枠に固定することで、操作キー動作受動部６の意図しない回転が防がれている。すなわち、スイッチ使用中に操作キー動作受動部６が動かないように固定される。このために、ヘッドブロック４が意図せずに回転して安全スイッチＡが壊れるという問題を解消することができるばかりか、ヘッドブロック４の連結強度が強くなり、例えば、操作キー２がキー挿入口１８に挿入されて、更に、扉が行き過ぎてしまうということがあっても、ヘッドブロック４の連結部分が折損することがなくなる。
【００６９】
なお、上記した本発明の安全スイッチの実施例にあっては、回転連結手段は、本体ケース７の端壁部７ａに突設された回転支軸９をスイッチ取付部５のガイド挿入孔１０に回転可能に挿入し、ピン部材１３をスイッチ取付部５に設けたピン孔１１に圧入して回転支軸９の環状の凹部９ａに挿入した構成にしたが、これに限らず、ヘッドブロック４を本体ブロック３に回転可能に取付ける構成であれば他の構成であっても良い。また、上記した本発明の実施例にあっては、スイッチ取付部５と操作キー動作受動部４とはそれぞれに別体であって、スイッチ取付部５を操作キー動作受動部４に固着したが、操作キー動作受動部４にスイッチ取付部を一体形成するようにしても良い。
【産業上の利用可能性】
【００７０】
本発明の安全スイッチによれば、ヘッドブロックが意図せずに回転して安全スイッチが壊れるという問題を解消することができるばかりか、ヘッドブロックの連結強度が強くなって、ヘッドブロックの連結部分が折損することがなくなるという効果を有しており、安全スイッチとしてのドアスイッチ等として有用である。
【図面の簡単な説明】
【００７１】
【図１】本発明に係る安全スイッチの斜視図である。
【図２】同安全スイッチの断面図である。
【図３】同安全スイッチのスイッチング機構の単接点スイッチの構成説明図である。
【図４】同安全スイッチにおいて、本体ブロックからヘッドブロックを分離した状態を示す斜視図である。
【図５】同安全スイッチの回転連結手段において、ピン部材を回転支軸の凹部に挿入した状態を示す一部破断した斜視図である。
【図６】同安全スイッチにおいて、ヘッドケースのベースへの取付におけるピン結合とスナップフィットの説明図である。
【図７】同安全スイッチの回転位置決め機構の構成説明図である。
【図８】係合凹部の配置説明図である。
【図９−１】本発明に係る安全スイッチにおいて、安全スイッチを正面取付から背面取付にする過程を描画した説明図で、正面取付位置状態を示している。
【図９−２】同じく、安全スイッチにおける正面取付位置から背面取付位置への中途状態を示している。
【図９−３】同じく、安全スイッチにおける背面取付状態を示している。
【図１０】本発明に係る安全スイッチにおける回転位置決め機構の説明図である。
【図１１】図１０のＸ部の拡大図である。
【図１２】回転位置決め機構の他の実施例の構成説明図である。
【図１３】回転位置決め機構の他の実施例の構成説明図である。
【図１４】回転位置決め機構の他の実施例の構成説明図である。
【図１５】従来の安全スイッチの斜視図である。
【図１６】従来の他の安全スイッチの斜視図である。
【符号の説明】
【００７２】
Ａ      安全スイッチ
１      スイッチ本体
２      操作キー
３      本体ブロック
４      ヘッドブロック
５      スイッチ取付部
６      操作キー動作受動部
６Ａ    ヘッドケース
７      本体ケース
８      蓋体
８ａ    蓋体取付ねじ
９      回転支軸（プランジャガイド）（回転連結手段）
９ａ    凹部（回転連結手段）
９ｂ    平坦面（回転連結手段）
１０    ガイド挿入孔（回転連結手段）
１１    ピン孔（回転連結手段）
１２    ねじ挿通孔
１３    ピン部材（回転連結手段）
１５    スイッチング機構（スイッチング手段）
１６    回転カム（操作キー動作受動手段）（接点切換手段）
２５    ヘッドプランジャ
３０    回転位置決め機構
３１    凹部
３２    薄肉部
３３    係合突起部（固定側係合部）
３４Ａ，３４Ｂ    係合凹部（可動側係合部）
４０    取付用ねじ部材
４１    回転ストッパ
４７Ａ，４７Ｂ  係合凹部（可動側係合部）
４３    ばね片部
４４    係合突起部（固定側係合部）
４８    回転ストッパ
５１    係合突起部（ストッパ側係合部）
５２    ストッパ収容凹部
５４    係合凹部（可動側係合部）
５５    ばね部材
５８    回転ストッパ
５９    操作部
５９ａ  縦部位
６０    引っ掛け部
６２    係合突起部（ストッパ側係合部）
６３    ストッパ収容凹部
６４    引っ掛け用突起部
６４ａ  内側部
６５    係合凹部（可動側係合部）
６７    係合突起部
６８    係合凹部（可動側係合部）
【図１】
2008218162.tif 000003
【図２】
2008218162.tif 000004
【図３】
2008218162.tif 000005
【図４】
2008218162.tif 000006
【図５】
2008218162.tif 000007
【図６】
2008218162.tif 000008
【図７】
2008218162.tif 000009
【図８】
2008218162.tif 000010
【図９−１】
2008218162.tif 000011
【図９−２】
2008218162.tif 000012
【図９−３】
2008218162.tif 000013
【図１０】
2008218162.tif 000014
【図１１】
2008218162.tif 000015
【図１２】
2008218162.tif 000016
【図１３】
2008218162.tif 000017
【図１４】
2008218162.tif 000018
【図１５】
2008218162.tif 000019
【図１６】
2008218162.tif 000020